(57)【特許請求の範囲】
【請求項１】
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次変動せしめられる傾動部を有する非破断接続片が配設されている合成樹脂製容器蓋において、
周方向において該突出片と該非破断接続片の各々との間には、該スカート壁から下方に突出するスカート壁側台座片と該タンパーエビデント裾部から上方に突出するタンパーエビデント裾部側台座片との少なくとも一方が形成されている、ことを特徴とする合成樹脂製容器蓋。
【請求項２】
周方向において該突出片と該非破断接続片の各々との間には、該スカート壁から下方に突出するスカート壁側台座片と該タンパーエビデント裾部から上方に突出するタンパーエビデント裾部側台座片との双方が形成されている、請求項１記載の合成樹脂製容器蓋。
【請求項３】
該突出片の下端と該タンパーエビデント裾部の上端との間隔は、該スカート壁側台座片の下端と該タンパーエビデント裾部の上端との間隔、該タンパーエビデント裾部側台座片の上端と該スカート壁の下端との間隔或いはスカート壁側台座片の下端と該タンパーエビデント裾部側台座片の上端との間隔と同一乃至これらの間隔より大きい、請求項１又は２記載の合成樹脂製容器蓋。
【発明の詳細な説明】
【技術分野】
【０００１】
本発明は、容器の口頸部を開封した後においても容器蓋の全体が容器から分離されることがない型のタンパーエビデント特性を備えた合成樹脂製容器蓋、更に詳しくは本体と周方向に間隔をおいて配設された複数個の破断可能橋絡部を介して本体に接続されたタンパーエビデント裾部とを含み、橋絡部が破断されて本体が容器の口頸部から離脱されても、容器の口頸部に装着され続けるタンパーエビデント裾部に非破断接続片を介して本体が接続され続ける型の合成樹脂製容器蓋に関する。
【背景技術】
【０００２】
口頸部の外周面には雄螺条及びこの雄螺条の下方に位置する係止あご部が形成されている容器に適用される、タンパーエビデント特性を備えた合成樹脂製容器蓋として、下記特許文献１及び２には、天面壁及びこの天面壁の周縁から垂下する筒状スカート壁を有し、スカート壁の内周面には雄螺条に螺合せしめられる雌螺条が形成されている本体と、周方向に間隔をおいて配設された複数個の破断可能橋絡部を介して本体のスカート壁に接続され、内周面には係止あご部に係止せしめられる係止手段が配設されている筒状タンパーエビデント裾部とを含み、本体のスカート壁には下方に突出する突出片が配設されており、この突出片の周方向両側には、本体のスカート壁とタンパーエビデント裾部とを接続し且つタンパーエビデント裾部に対して本体が上方に移動せしめられると鉛直線に対する傾斜角度が漸次変動せしめられる傾動部を有する非破断接続片が配設されている合成樹脂製容器蓋が開示されている。
【０００３】
上記のとおりの容器蓋を容器の口頸部に装着して口頸部を密封する際には口頸部に容器蓋を被嵌して閉方向に回転し、容器蓋の雌螺条を口頸部の雄螺条に螺合せしめる。螺合の進行に応じて口頸部に対して容器蓋が下降され、タンパーエビデント裾部に形成されている係止手段は口頸部の係止あご部を弾性的に乗り越えてその下方に係止せしめられる。口頸部を開封する際には、容器蓋を開方向に回転せしめて口頸部の雄螺条と容器蓋の雌螺条との螺合を解除する。螺合の解除と共に容器蓋の本体は口頸部に対して上昇されるが、タンパーエビデント裾部は係止手段が口頸部の係止あご部に係止されている故に上昇が阻止され、従って破断可能橋絡部に応力が生成されて破断可能橋絡部が破断される。破断可能橋絡部が破断され本体が上昇を続け、タンパーエビデント裾部から本体が上方に離隔されると、これに応じて非破断接続片の傾動部は鉛直線に対する傾斜が漸次変動される。本体が口頸部から離脱された後においても、本体は非破断接続片の所要部位を旋回中心として旋回されて容器の口頸部から片側に変位せしめられるが、タンパーエビデント裾部は口頸部に装着され続け、本体は非破断接続片を介してタンパーエビデント裾部に接続され続け、従って容器から分離されることはない。容器の内容物を全部ではなくて部分的に消費した時点で消費を中断した場合には、本体を非破断接続片の所要部位を旋回中心として開封の際の旋回方向に対して反対方向に旋回せしめて容器の口頸部に被嵌し、次いで容器蓋を閉方向に回転せしめて容器蓋の雌螺条を口頸部の雄螺条に再び螺合せしめ、かくして口頸部を仮密封することができる。
【先行技術文献】
【特許文献】
【０００４】
【特許文献１】特開２００８−５６２４６号公報
【特許文献２】特開２０１０−１８２９０号公報
【発明の概要】
【発明が解決しようとする課題】
【０００５】
然るに、本発明者の経験によれば、特に容器蓋の全高を比較的低く設定することが必要な場合に、突出片の下端とタンパーエビデント裾部との間隔が著しく小さくなり、或いは前記間隔をある程度確保せんとするとタンパーエビデント裾部の、突出片に対向して位置する部位の軸線方向幅が著しく小さくなり、かかる事実に起因して、（イ）成形型から容器蓋を取り出す離型操作の際に、所謂無理抜きに起因して突出片の下端がタンパーエビデント裾部の上端に押圧されて突出片に相当大きな力が加えられ、突出片に座屈が発生してタンパーエビデント裾部の外周面側或いは内周面側に変位してしまい、容器蓋の本体が容器の口頸部から離脱された後、本体の突出片を口頸部の係止あご部に保持することができなくなってしまう、（ロ）容器蓋を容器の口頸部に装着する際にタンパーエビデント裾部、特に突出片に対向する部位が過剰に変形され、スカート壁とタンパーエビデント裾部とを接続している破断可能橋絡部が破断されてしまう、（ハ）容器の口頸部を開封する際にタンパーエビデント裾部、特に突出片に対向する部位が過剰に変形されて、タンパーエビデント裾部の係止手段と容器の口頸部の係止あご部との係止が解除され、タンパーエビデント裾部も容器の口頸部から離脱されてしまう、傾向があることが判明した。
【０００６】
本発明は上記事実に鑑みてなされたものであり、その主たる技術的課題は、容器蓋の全高を比較的低く設定することが必要であり、突出片の下端とタンパーエビデント裾部との間隔が著しく小さくなる場合でも、上述したとおりの問題の発生が回避乃至抑制される、新規且つ改良された合成樹脂製容器蓋を提供することである。
【課題を解決するための手段】
【０００７】
本発明者は、鋭意検討及び実験の結果、周方向において突出片と非破断接続片の各々との間に、スカート壁から下方に突出するスカート壁側台座片とタンパーエビデント裾部から上方に突出するタンパーエビデント裾部側台座片との少なくとも一方を形成することによって、上記主たる技術的課題を達成することができることを見出した。
【０００８】
即ち、本発明によれば、上記主たる技術的課題を達成することができる容器蓋として、口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次変動せしめられる傾動部を有する非破断接続片が配設されている合成樹脂製容器蓋において、
周方向において該突出片と該非破断接続片の各々との間には、該スカート壁から下方に突出するスカート壁側台座片と該タンパーエビデント裾部から上方に突出するタンパーエビデント裾部側台座片との少なくとも一方が形成されている、ことを特徴とする合成樹脂製容器蓋が提供される。
【０００９】
周方向において該突出片と該非破断接続片の各々との間には、該スカート壁から下方に突出するスカート壁側台座片と該タンパーエビデント裾部から上方に突出するタンパーエビデント裾部側台座片との双方が形成されているのが好ましい。該突出片の下端と該タンパーエビデント裾部の上端との間隔は、該スカート壁側台座片の下端と該タンパーエビデント裾部の上端との間隔、該タンパーエビデント裾部側台座片の上端と該スカート壁の下端との間隔或いはスカート壁側台座片の下端と該タンパーエビデント裾部側台座片の上端との間隔と同一乃至これらの間隔より大きいのが好適である。
【発明の効果】
【００１０】
本発明の容器蓋においては、スカート壁側台座片又はタンパーエビデント裾部側台座片がタンパーエビデント裾部の上端、スカート壁の下端或いはタンパーエビデント裾部側台座片又はスカート壁側台座片に当接し、これによってタンパーエビデント裾部の上端から突出片の下端に相当大きな力が加えられることが回避される。そしてまた、突出片の下端とタンパーエビデント裾部との間の間隙を小さくしても突出片に座屈が生成されるのを回避することができる故に、上記間隙を小さく設定して、タンパーエビデント裾部における、突出片に対向して位置する部位の軸線方向幅を比較的大きくしてかかる部位の剛性を比較的大きくすることができ、容器蓋を容器の口頸部に装着する際及び容器の口頸部を開封する際にタンパーエビデント裾部、特に突出片に対向する部位が過剰に変形されることが回避され、かくして上述したとおりの問題の発生が回避乃至抑制される。
【図面の簡単な説明】
【００１１】
【図１】本発明に従って構成された合成樹脂製容器蓋の好適実施形態を、一部を断面で示す正面図。
【図２】図１に示す容器蓋におけるタンパーエビデント裾部の特定領域の断面を示す部分断面図。
【図３】図１に示す容器蓋における、離型の際等の台座片の作用を説明するための、一部を断面で示す正面図。
【図４】図１に示す容器蓋を容器の口頸部に装着して口頸部を密封した状態を、一部を断面で示す正面図。
【図５】図４に示す状態から、口頸部を開封するために容器蓋を幾分開回転方向に回転せしめた状態を示す正面図。
【図６】図５に示す状態から容器蓋を更に開回転方向に回転せしめて容器蓋の本体を口頸部から離脱せしめて所要位置に保持した状態を示す側面図。
【発明を実施するための形態】
【００１２】
以下、本発明に従って構成された合成樹脂製容器蓋の好適実施形態を図示している添付図面を参照して、更に詳述する。
【００１３】
図１を参照して説明すると、ポリエチレン又はポリプロピレンの如き適宜の合成樹脂から射出成形又は圧縮成形によって好都合に一体成形することができる、全体を番号２で示す容器蓋は、本体４とタンパーエビデント裾部６とを含んでいる。本体４は円形天面壁８とこの天面壁８の周縁から垂下する円筒形状のスカート壁１０とを有する。天面壁８の内面には２条のシール突条、即ち内側環状突条１２及び外側環状突条１４が形成されている。
【００１４】
図示の容器蓋２においては、本体４の天面壁８の上面とスカート壁１０の外周面は断面図において円弧状の境界面を介して接続されている。そして、スカート壁１０の外周面は実質上鉛直に垂下せしめられている。スカート壁１０の下端部には半径方向外側に幾分張り出した環状フランジ１６が配設されている。環状フランジ１６よりも上方においてスカート壁１０の外周面には、周方向に間隔をおいて軸線方向に延びる突条部とかかる突条部間に位置する非突条部とから構成されたナール１８が形成されている。スカート壁１０の内周面には雌螺条、更に詳しくは等間隔に配置され且つ各々が２１５度の角度範囲に渡って延びる３条の雌螺条２０が形成されている。２０乃至５０度の角度範囲に渡る特定角度領域（即ち後述する突出片に対して直径方向反対側に位置する特定角度領域）Ｘにおいては、軸線方向下方側に位置する雌螺条２０が切り欠かれているのが好適である（その理由については後述する）。
【００１５】
図１を参照して説明を続けると、タンパーエビデント裾部６は全体として円筒形状であり、周方向に間隔をおいて配設された複数個の破断可能橋絡部２２を介して本体４のスカート壁１０に接続させている。破断可能橋絡部２２は特開２００７−１９１２０６号公報に開示されている破断可能橋絡部と実質上同一でよく、上端部はスカート壁１０の内周面下端部に接続され下端部はタンパーエビデント裾部６の内周面上端部に接続されている。タンパーエビデント裾部６の内周面には係止手段２４が配設されている。図示の実施例における係止手段２４は、図１に番号２３で示す領域（かかる領域においてはタンパーエビデント裾部６の軸線方向寸法が局部的に低減せしめられている）を除いて、周方向に連続して延在せしめられている突起から構成されており、その断面形状は略直角三角形状である。係止手段２４よりも上方に領域には、嵌合下部２５と遊嵌上部２７が配設されている。嵌合下部２５の内径は遊嵌上部２７の内径よりも幾分低減せしめられている（図示の実施形態における係合手段２４、嵌合下部２５及び遊嵌上部２７の詳細については、本出願人の出願に係る特願２０１０−００６７８４の明細書及び図面に詳細に記載されているので、かかる記載を参照されたい）。所望ならば、周方向に間隔をおいて配設されタンパーエビデント裾部６の内周面から半径方向内方に傾斜して上方に延出せしめられている複数個の係止片の如き、他の適宜の形態の係止片から係止手段２４を構成することもできる。一方、上記領域２３においては、係止手段２４は配設されていないが、図２に図示する如く、半径方向内方に突出する補強突状２９が形成されている。補強突状２９の断面形状は略半円形でよい。
【００１６】
図１において番号２６で示す領域において、本体４のスカート壁１０の下端縁は他の領域の下端縁よりも上方に変位せしめられており、またタンパーエビデント裾部６の上端縁は他の領域の上端縁よりも下方に変位せしめられ、そして更に領域２６の中央部においてはタンパーエビデント裾部６の上端縁は更に幾分下方に変位せしめられており、スカート壁１０とタンパーエビデント裾部６との間には正面図において略横長矩形状の開口２８が生成されている。開口２８の周方向中央部において、スカート壁１０には下方に突出する突出片３０が形成されている。図示の実施形態における突出片３０は全体として略矩形状であり、下端部両側は下方に向かって周方向内側に延びる円弧形状にせしめられている。突出片３０の下端縁とタンパーエビデント裾部６の上端縁との間には間隙Ｇ１が存在する。
【００１７】
上記開口２８内には、突出片３０の両側に位置する非破断接続片３２ａ及び３２ｂも配設されている。図示の実施形態における非破断接続片３２ａは、スカート壁１０の下端縁から周方向片側（図１において左側）に実質上水平に延びる第一の傾動部３４ａ、第一の傾動部３４ａの延出端部から若干下方に延びる中間部３６ａ、中間部３６ａに続いて周方向他側（図１において右側）に実質上水平に延びタンパーエビデント裾部６の上端部に接続されている第二の傾動部３８ａから構成されている。非破断接続片３２ｂは非破断接続片３２ａと線対称形状であり、スカート壁１０の下端縁から周方向他側（図１において右側）に実質上水平に延びる第一の傾動部３４ｂ、第一の傾動部３４ｂの延出端部から若干下方に延びる中間部３６ｂ、中間部３６ｂに続いて周方向片側（図１において左側）に実質上水平に延びタンパーエビデント裾部６の上端部に接続されている第二の傾動部３８ｂから構成されている。所望ならば、非破断接続片３２ａにおける第一の傾動部３４ａ及び第二の傾動部３８ａ並びに非破断接続片３２ｂにおける第一の傾動部３４ｂ及び第二の傾動部３８ｂを水平ではなくて幾分傾斜して延在するようになすこともできる。
【００１８】
本発明に従って構成された容器蓋２においては、上記開口２８内には、更に、周方向において突出片３０と非破断接続片３２ａ及び３２ｂの各々との間に、台座片が配設されていることが重要である。図示の実施形態においては、突出片３０と非破断接続片３２ａとの間には、スカート壁１０から下方に突出するスカート壁側台座片４０ａとタンパーエビデント裾部６から上方に突出するタンパーエビデント裾部側台座片４２ａとが形成されている。同様に、突出片３０と非破断接続片３２ｂとの間にも、スカート壁１０から下方に突出するスカート壁側台座片４０ｂとタンパーエビデント裾部６から上方に突出するタンパーエビデント裾部側台座片４２ｂとが形成されている。スカート壁側台座片４０ａ及び４０ｂは略倒立台形状で、タンパーエビデント裾部側台座片４２ａ及び４２ｂは略台形状である。スカート壁側台座片４０ａ及び４０ｂの下端縁とタンパーエビデント裾部側台座片４２ａ及び４２ｂの上端縁との間には間隙Ｇ２が存在する。かかる間隙Ｇ２は、突出片３０の下端縁とタンパーエビデント裾部６の上端縁との間の上記間隙Ｇ１と同一或いはこれより幾分小さく設定されているのが好都合である。換言すれば、突出片３０の下端縁とタンパーエビデント裾部６の上端縁との間の間隙Ｇ１は、スカート壁側台座片４０ａ及び４０ｂの下端縁とタンパーエビデント裾部側台座片４２ａ及び４２ｂの上端縁との間の間隙Ｇ２と同一或いはこれらよりも幾分大きく設定されているのが好都合である。
【００１９】
図示の実施形態においては、突出片３０と非破断接続片３２ａとの間及び突出片３０と非破断接続片３２ｂとの間の各々において、スカート壁１０から下方に突出するスカート壁側台座片４０ａ及び４０ｂと共にタンパーエビデント裾部６から上方に突出するタンパーエビデント裾部側台座片４２ａ及び４２ｂを形成しているが、所望ならば、突出片３０と非破断接続片３２ａとの間及び突出片３０と非破断接続片３２ｂとの間の各々において、スカート壁１０から下方に突出するスカート壁側台座片４０ａ及び４０ｂとタンパーエビデント裾部６から上方に突出するタンパーエビデント裾部側台座片４２ａ及び４２ｂとのいずれか一方のみを配設することもできる。この場合、スカート壁側台座片４０ａ及び４０ｂの下端縁とタンパーエビデント裾部６の上端縁との間の間隙Ｇ２或いはタンパーエビデント裾部側台座片４２ａ及び４２ｂの上端縁とスカート壁１０の下端縁との間の間隙Ｇ２を、突出片３０の下端縁とタンパーエビデント裾部６の上端縁との間の上記間隙Ｇ１と同一或いはこれより幾分小さく設定するのが好適である。
【００２０】
上述したとおりの容器蓋２の射出成形或いは圧縮成形工程において、成形された容器蓋２を成形型から離脱する際には、雌螺条２０の存在等の起因する所謂無理抜きに起因して、容器蓋２の本体４が図１において下方に強制される。然るに、本発明に従って構成された容器蓋２においては、図３に明確に図示する如く、容器蓋２の本体４が図１及び図３において下方に強制されると、スカート壁側台座片４０ａ及び４０ｂの下端縁がタンパーエビデント裾部側台座片４２ａ及び４２ｂの上端縁に当接し、これによって本体４の図１及び図３において下方への移動が制限される。それ故に、突出片３０の下端縁がタンパーエビデント裾部６の上端縁に相当大きな力で押圧されて突出片３０に座屈が生成されてしまうことが回避乃至抑制される。そしてまた、スカート壁側台座片４０ａ及び４０ｂ並びにタンパーエビデント裾部側台座片４２ａ及び４２ｂの存在に起因して、突出片３０の下端縁とタンパーエビデント裾部６の上端縁との間の間隙Ｇ１を比較的小さくしても突出片座屈が回避される故に、突出片３０の下端縁とタンパーエビデント裾部６の上端縁との間の間隙Ｇ１を比較的小さい値に設定し、タンパーエビデント裾部６における、突出片３０に対向して位置する部位の軸縁方向幅を比較的大きくしてかかる部位の剛性を比較的大きくせしめることができる。
【００２１】
図４を参照して説明を続けると、ポリエチレンテレフタレートの如き適宜の合成樹脂或いはガラスから形成することができる容器の口頸部４４は全体として円筒形状であり、その上面は開口されている。口頸部４４の外周面には、雄螺条、更に詳しくは１５４度の角度範囲に渡って延びる３条の雄螺条４６と、この雄螺条４６の下方に位置する係止あご部４８が形成されている。
【００２２】
口頸部４４に容器蓋２を装着して口頸部４４を密封する際には、口頸部４４に容器蓋２を被嵌して閉方向（図４において上方から見て時計方向）に回転せしめ、口頸部４４の雄螺条４６に容器蓋２の雌螺条２０を螺合せしめる。雄螺条４６に対する雌螺条２０の螺合の進行に応じて容器蓋２は口頸部４４に対して漸次下降する。図４に図示する状態まで口頸部４４に対して容器蓋２が下降せしめられると、容器蓋２の本体４における天面壁８の内面に形成されている内側環状突条１２及び外側環状突条１４が夫々口頸部４４の内周面及び外周面に密接せしめられ、これによって口頸部４４が密封される。容器蓋２のタンパーエビデント裾部６の内周面に配設されている係止手段２４は口頸部４４の係止あご部４８を弾性的に乗り越えて、係止あご部４８の下面に係止せしめられる。
【００２３】
口頸部４４を開封する際には、容器蓋２を開方向（図４において上方から見て反時計方向）に回転せしめ、口頸部４４の雄螺条４６に対する容器蓋２の雌螺条２０の螺合を漸次解除する。螺合を漸次解除すると容器蓋２の本体４は開方向に回転せしめられると共に上昇せしめられるが、タンパーエビデント裾部６は係止手段２４が口頸部４４の係止あご部４８に係止しているので上昇が阻止され、これに起因して破断可能橋絡部２２に相当な応力が生成され、破断可能橋絡部２２が破断される。しかる後においては、容器蓋２の本体４は開方向への回転と共に上昇し、タンパーエビデント裾部６から上方に漸次離隔せしめられる。図４と共に図５を参照することによって明確に理解される如く、タンパーエビデント裾部６から本体４が漸次上方に離隔せしめられると、非破断接続片３２ａの第一の傾動部３４ａ及び非破断接続片３２ｂの第二の傾動部３８ｂは夫々の上端及び下端を中心として図４及び図５において時計方向に旋回、即ち時計方向に傾動され、一方非破断接続片３２ａの第二の傾動部３８ａ及び非破断接続片３２ｂの第一の傾動部３４ｂは夫々の下端及び上端を中心として図４及び図５において反時計方向に旋回、即ち反時計方向に傾動され、これに応じて非破断接続片３２ａ及び３２ｂにおける第一の傾動部３４ａ及び３４ｂ並びに第二の傾動部３８ａ及び３８ｂの鉛直線に対する傾斜角度が漸次変動される。図４及び図５と共に図６を参照することによって明確に理解される如く、口頸部４４の雄螺条４６に対する容器蓋２の雌螺条２０の螺合が完全に解除されると、容器蓋２の本体４は口頸部４４から離脱される。しかしながら、本体４は非破断接続片３２ａ及び３２ｂを介して、口頸部４４に装着され続けているタンパーエビデント裾部６に接続され続けている故に、容器の口頸部４４から離間されることはない。
【００２４】
容器蓋２の本体４が口頸部４４から離脱された後においては、本体４を口頸部４４から遠ざかる方向（図６において反時計方向）に、図６に図示する状態まで旋回せしめる。かくすると、本体４に形成されている突出片３０の下端部（先端部）外側面が口頸部４４の係止あご部４８の上面に当接し、これによって本体４は図６に図示する位置に解除自在に保持される。従って、消費者は本体４の存在によって阻害されることなく、容器内に存在する清涼飲料の如き内容物を飲食することができる。
【００２５】
内容物の飲食を途中で中断した場合には、図６に図示する位置に保持されている本体４を図６において時計方向に旋回せしめて再び口頸部４４に被嵌し、そして容器蓋２を閉方向に回転せしめて口頸部４４の雄螺条４６に容器蓋２の雌螺条２０を螺合せしめ、かくして容器蓋２を再び図２に図示する状態に位置せしめて、口頸部４４を仮密封することができる。本体４を図６において時計方向に旋回せしめて本体４を口頸部４４に再び被嵌せしめる際に、図示の実施形態においては容器蓋２のスカート壁１０の内周面に形成されている雌螺条２０が、上記特定領域Ｘ（図１）において切り欠かれている故に、雌螺条２２が口頸部４４の雄螺条４６に干渉して口頸部４４に対する本体４の被嵌を阻害することが充分に回避される。
【符号の説明】
【００２６】
２：容器蓋
４：本体
６：タンパーエビデント裾部
８：天面壁
１０：スカート壁
２０：雌螺条
２２：破断可能橋絡部
２４：係止手段
３０：突出片
３２ａ：非破断接続片
３２ｂ：非破断接続片
３４ａ：第一の傾動部
３４ｂ：第一の傾動部
３８ａ：第二の傾動部
３８ｂ：第二の傾動部
４０ａ：スカート壁側台座片
４０ｂ：スカート壁側台座片
４２ａ：タンパーエビデント裾部側台座片
４２ｂ：タンパーエビデント裾部側台座片
４４：容器の口頸部
４６：雄螺条
４８：係止あご部
【図１】
0005552346.tif 000002
【図２】
0005552346.tif 000003
【図３】
0005552346.tif 000004
【図４】
0005552346.tif 000005
【図５】
0005552346.tif 000006
【図６】
0005552346.tif 000007